(57)【特許請求の範囲】
【請求項１】
洗面器置台がカバーに一体的に設けられている浴室用カバー付水栓において、
前記洗面器置台の内部にシャワーホースを収納する第１のホース収納部を形成するとともに、シャワーヘッドとは別に吐水口を設けて、該吐水口を前記洗面器置台の上方に配置してあり、且つ前記カバーは水栓本体を包み込むものとなしてあるとともに、温調ハンドルと切替ハンドル及び前記吐水口が該カバーの外部に露出させてあることを特徴とする浴室用カバー付水栓。
【発明の詳細な説明】
【０００１】
【発明の属する技術分野】
この発明は浴室用水栓に関し、詳しくはカバー付きの浴室用水栓に関する。
【０００２】
【従来の技術及び発明が解決しようとする課題】
図９は従来の浴室用水栓の一例を示したもので、図中２００は水栓本体であり、クランク脚２０２を介して浴室の壁２０４、詳しくはカウンター２０６の前板に取り付けられ支持されている。
この水栓本体２００からはシャワーホース２０８が延び出していてその先端にシャワーヘッド２１０が接続され、そのシャワーヘッド２１０が、浴室の壁２０４に取り付けられたシャワーフック２１２に掛止されるようになっている。
【０００３】
水栓本体２００は浴室の壁２０４の低い位置、即ち洗い場の床２１４に近い位置に取り付けられており、従って図１０に示しているように洗面器２１６に水や湯を溜める際には、洗面器２１６を床２１４に置いて、そこに吐水口２１８から水や湯を注ぎ込むこととなる。
【０００４】
しかしながらこの種従来の浴室用水栓の場合、シャワーホース２０８全体が室内に露出した状態にあり、これが浴室内の美観を低下させる要因となる問題があった。
また洗面器２１６に水や湯を溜めてこれを使う際、前屈みの窮屈な姿勢でこれを行わなければならず、特に足腰の弱い人に対して腰に負担がかかり易いといった問題があった。
【０００５】
そこで例えば、図１１に示しているようにカウンター２２０の下側にシャワーホース２０８全体を位置させるとともに、カウンター２２０の内部に取り付けたホース収納ボックス２２２にシャワーホース２０８を収納するといったことが考えられている。
【０００６】
しかしながらこの場合、水栓とは別にホース収納ボックス２２２が必要となって、そのホース収納ボックス２２２のためのコストが高くなるのに加えて、ホース収納ボックス２２２設置のために広い空間を確保しておかなければならず、加えて専用の浴室でないと対応できないといった問題があった。
【０００７】
また従来の浴室にあっては、手摺りやシャワーフックを保持するためのスライドバー或いはミラー等を設置するに際して、それぞれを水栓とは別部材として用意し、これを浴室の壁等に取り付けることが必要で、各部材に要するコスト及び取付けのためのコストがそれだけ高くなるといった問題が生じていた。
【０００８】
【課題を解決するための手段】
本発明の浴室用カバー付水栓はこのような課題を解決するために案出されたものである。
而して請求項１のものは、洗面器置台がカバーに一体的に設けられている浴室用カバー付水栓において、前記洗面器置台の内部にシャワーホースを収納する第１のホース収納部を形成するとともに、シャワーヘッドとは別に吐水口を設けて、該吐水口を前記洗面器置台の上方に配置してあり、且つ前記カバーは水栓本体を包み込むものとなしてあるとともに、温調ハンドルと切替ハンドル及び前記吐水口が該カバーの外部に露出させてあることを特徴とする。
【０００９】
【作用及び発明の効果】
上記のように本発明は、浴室用水栓をカバー付水栓となして、そのカバー内に、詳しくは洗面器置台の内部にシャワーホースを収納する第１のホース収納部を設けるとともに、シャワーヘッドとは別に吐水口を設け、その吐水口を洗面器置台の上方に配置したもので、本発明によれば、洗面器置台に置いた洗面器に対して吐水口から水や湯等をそのまま注ぎ入れることができるとともに、シャワーホース全体が浴室内に露出した状態となって室内の美観低下の要因になるといった問題を解決できる。
【００１０】
また本発明では水栓自体、具体的にはカバーの洗面器置台内部に第１のホース収納部を有しているため、図１１に示す浴室用水栓と異なって大型容器状のホース収納ボックスを水栓とは別途に必要とするといったことがなく、そのホース収納ボックスに要するコストを低減することができるとともに、ホース収納ボックスの取付けのための施工の手間を削減し、更にまたホース収納ボックスを別途に設ける必要がないためそのために広いスペースを確保しておく必要もないし、またホース収納ボックスの取付けが可能な専用の浴室に限らず通常の浴室にも対応できる利点が得られる。
【００１１】
ここで第１のホース収納部には上向きに山形状をなす収納ガイドを設けておき、その収納ガイドの回りにシャワーホースを巻回状に収納できるようになしておくことができる。このようにしておけば長いシャワーホースを収まり良く第１のホース収納部に収納しておくことができ、また取り出す際にも円滑にシャワーホースをカバー内から取り出すことができる。
【００１２】
またカバーの全体若しくは一部を壁に固定の止水栓によって支持するようになすことができる。
このようにすれば、特別の支持部材を壁に取り付けなくても良い利点が得られる。
【００１３】
一方、カバーの全体若しくは一部をブラケットにて壁に固定し支持するようになすこともできる。
このようにすればカバーを強固に壁によって支持することができる。
【００１４】
更にカバーは上カバーと下カバーとに分割し、それらを組み合せることによって全体のカバーを構成するようになすことができる。
このようにすれば、カバー内に水栓本体その他部材を収納した状態で容易に水栓全体を組み付けることができ、また必要が生じたときには上カバーと下カバーとを分離することによって内部のメンテナンス作業を容易に行うことができる。
【００１５】
本発明ではカバーにシャワーヘッドの保持部を一体的に備えておくことができ、このようにしておけばカバー自体によって、即ち水栓自体によってシャワーヘッドを保持しておくことができ、従って壁等にシャワーフック等シャワーヘッド掛止用の別途の部材を取り付けなくても良く、しかもこの場合シャワーホース全体をカバー内に収めておくことができる利点が得られる。
この場合においてそのカバーにはシャワーホースの引出口を形成しておき、その引出口の周りに上記保持部を備えておくことができる。
【００１６】
本発明ではまた、前記吐水口が設けられている水栓本体を洗面器置台の上方に配置し、そしてその水栓本体を可撓性の接続ホースを介して壁の給水元管の端部接続口に接続する一方、カバー内部にその接続ホースを収納するための第２のホース収納部を形成しておくことができる。
【００１７】
この場合、吐水口及び水栓本体を図９，図１０に示す従来の浴室用水栓のそれよりも高位置に位置させることとなるが、その際従来浴室に設置されている給水元管の端部接続口を特別に高位置に位置変更しなくても、即ち従来配管されている給水元管の配管工事をやり直すことなく、そのまま給水元管の端部接続口と水栓本体とを接続することができる。
水栓本体と端部接続口とを可撓性の接続ホースを介して接続するようにしていることから、その接続ホースの長さによって水栓本体の位置変更分を吸収することができるからである。
【００１８】
更にまたカバー内部にはその接続ホースを収納する第２のホース収納部が形成されているため、接続ホースをカバー内部に隠蔽状態にしておくことができ、水栓の良好な美観を保持することができる。
【００１９】
この場合において、カバー内部にはシャワーホースを収納する第１のホース収納部と接続ホースを収納する第２のホース収納部とを仕切る仕切壁を形成しておくことができる。
このようにすれば、カバー内部で接続ホースとシャワーホースとが絡まったり緩衝したりするのを良好に防止でき、それぞれを良好にカバー内部に収納しておくことができる。
【００２０】
【実施例】
次に本発明の実施例を図面に基づいて詳しく説明する。
図１において、１０は本例の浴室用カバー付水栓で、図２に示しているように背面において浴室の壁Ｗに取り付けられるようになっている。
【００２１】
図２に示しているようにこの例の水栓１０は、水栓本体１２と、これを包み込むカバー（この例では樹脂製）１４と、シャワーヘッド１６とを有している。
カバー１４は前方に突出する突出部１８を上部に有しており、その突出部１８の内部に水栓本体１２が収納されている。
【００２２】
この水栓本体１２には吐水口２８が下向きに設けられており、この吐水口２８がカバー１４外部に露出している。
カバー１４はまた、その下部に洗面器置台２０を有しており、その洗面器置台２０に、図１に示しているように洗面器５０を載置できるようになっている。
【００２３】
上記水栓本体１２及び吐水口２８はこの洗面器５０の上方に位置し、洗面器置台２０に載せた洗面器５０に対し吐水口２８から吐水することができる。
ここでカバー１４は上カバー１４ａと下カバー１４ｂとに分割されており、それらが組み合わされて全体のカバー１４を構成している。
【００２４】
水栓本体１２及びカバー１４は、その内部に配設されたブラケット２２にて壁Ｗに取り付けられ支持されている。
この例において、ブラケット２２は第１ブラケット２２ａと第２ブラケット２２ｂとから成っており、それらがねじ具２４にて締結され、そして第１ブラケット２２ａにおいて、ねじ具２６により壁Ｗに取付固定されている。
【００２５】
カバー１４の左右両側部、詳しくは突出部１８の左右両側部且つ外部には、温調ハンドル（温度調節ハンドル）３０と切替ハンドル３２とが配設されており、それらがカバー１４内部の水栓本体１２に対して作動的に連結されている。
ここで温調ハンドル３０は、吐水口２８からの吐水の温度を調節するものであり、また切替ハンドル３２は、吐水口２８からの吐水とシャワーヘッド１６からの吐水とを切り替え、また吐水流量の調節及び止水を行う。
【００２６】
カバー１４の上面には、後述するシャワーホース３７の引出口３９周りに保持部３４が設けられており、この保持部３４においてシャワーヘッド１６を差込状に保持するようになっている。
カバー１４の内部にはまた仕切壁３６が設けられており、この仕切壁３６の前部に、即ち洗面器置台２０内部にシャワーヘッド１６に接続されたシャワーホース３７を収納する第１のホース収納部３８が、また後部に可撓性の接続ホース４２を収納する第２のホース収納部４０が区画形成されている。
【００２７】
ここで接続ホース４２は一端側が水栓本体１２に接続され、他端側が止水栓４４を介して壁Ｗ裏側の給水元管，給湯元管のそれぞれの端部接続口４６に壁Ｗを貫通して接続されており、給水元管，給湯元管からの水，湯をそれぞれ水栓本体１２に導く。
尚カバー１４の底部には水抜孔４８が形成されている。
この例の場合、下カバー１４ｂを外すことによって止水栓４４やその内部に組み込まれたストレーナ等のメンテナンス作業を行うことができる。
【００２８】
以上のように構成された本例の水栓１０にあっては、シャワーホース３７全体が浴室内に露出した状態となって室内の美観低下の要因になるといった問題を生じない。
【００２９】
また本例では水栓１０自体、具体的にはそのカバー１４自体がその内部に第１のホース収納部３８を有しているため、水栓１０とは別途に図１１に示すような大型容器状のホース収納ボックス２２２を設けておかなくても良く、ホース収納ボックス２２２に要するコストを低減することができるとともにその取付けのための施工の手間を削減し、更にまたホース収納ボックス２２２を設ける必要がないためそのために広いスペースを確保しておく必要もないし、またホース収納ボックス２２２の取付けが可能な専用の浴室に限らず通常の浴室にも対応できる利点を有する。
【００３０】
また本例ではカバー１４をブラケット２２にて壁Ｗに固定し支持するようにしていることから、カバー１４を強固に壁Ｗによって支持することができる。
【００３１】
また本例によれば、分割された上カバー１４ａと下カバー１４ｂとを組み合せることで容易にカバー１４内に水栓本体１２その他部材を収納でき、また必要が生じたときには上カバー１４ａと下カバー１４ｂとを分離することによって内部のメンテナンス作業を容易に行うことができる。
【００３２】
更にまたカバー１４に設けた保持部３４によってシャワーヘッド１６を保持でき、従って従来のように壁Ｗ等にシャワーフック等の別途の部材を取り付けなくても良く、しかもシャワーホース３７全体をカバー１４内に収めておくことができる。
【００３３】
本例では、カバー１４に洗面器置台２０を一体的に備えており、その洗面器置台２０に置いた洗面器５０に対して直接吐水口２８から水や湯等をそのまま注ぎ入れることができる。
【００３４】
この場合、吐水口２８及び水栓本体１２を図９，図１０に示す従来の浴室用水栓のそれよりも高位置に位置させることとなるが、その際本例では水栓本体１２と端部接続口４６とを可撓性の接続ホース４２を介して接続していることから、その接続ホース４２の長さによって、水栓本体１２の位置変更分を吸収でき、従来浴室に設置されている端部接続口４６を特別に高位置に位置変更しなくても、即ち従来配管されている給水元管，給湯元管の配管工事をやり直さなくてもそのままその端部接続口４６と水栓本体１２とを接続することができる。
【００３５】
更にまたカバー１４内部にはその接続ホース４２を収納する第２のホース収納部４０が形成されているため、接続ホース４２をカバー１４内部に隠蔽状態にしておくことができ、水栓１０の良好な美観を保持することができる。
【００３６】
また本例では、カバー１４内部に仕切壁３６を形成していることから、カバー１４内部で接続ホース４２とシャワーホース３７とが絡まったり緩衝したりするのを良好に防止でき、それぞれを良好にカバー１４内部に収納しておくことができる。
【００３７】
図３は本発明の他の例を示したもので、図示のようにこの例においてもカバー１４が上カバー１４ａと下カバー１４ｂとに分割されており、そしてその下カバー１４ｂによって洗面器置台２０が構成されている。
【００３８】
更にまた下カバー１４ｂは止水栓４４によって重量支持されている。
即ち洗面器置台２０及びそこに載せられた洗面器５０が、壁Ｗに給水元管，給湯元管の端部接続口４６を介して固定された状態の止水栓４４によって重量支持されている。
また下カバー１４ｂにはメンテナンス作業等を行う際の作業口５２が形成されている。
【００３９】
本例では、カバー１４を壁Ｗに固定の止水栓４４によって支持するようになしていることから、特別の支持部材を壁Ｗに取り付けなくても良い利点が得られる。
【００４０】
図４及び図５は本発明の他の実施例を示している。
この例の浴室用カバー付水栓５４もまたカバー５６を有しており、更にそのカバー５６が上カバー５６ａと下カバー５６ｂとを組み合せて構成してある。
【００４１】
この例の水栓５４においては、カバー５６によってテーブル部５８と、それより低い位置において洗面器置台２０が段差状に形成されている。
そしてそのテーブル部５８の図中左側端部に保持部３４が備えられていて、その保持部３４によりシャワーヘッド１６が差込状に保持されるようになっている。
【００４２】
また図中右側の端部には吐水管６０が基端において回動可能に備えられている。
吐水管６０は洗面器置台２０の上方まで延びる長さとされており、その先端の吐水口２８から洗面器置台２０に載せた洗面器５０に対し吐水可能とされている。
尚この例において、吐水管６０は図中右側に設置されている浴槽（図示省略）に対しても吐水可能なものとされている。
【００４３】
図５に示しているように、本例においては水栓本体が温調ユニット６２と切替ユニット６４とに分れており、それらが連絡管６６にて互いに連絡されている。
そしてそれら温調ユニット６２と切替ユニット６４とに対して、カバー５６の外部に配置された温調ハンドル３０と切替ハンドル３２とがそれぞれ作動的に連結されている。
【００４４】
図５において６７は仕切壁であって、その仕切壁６７の前側に、即ち洗面器置台２０内部に第１のホース収納部３８が形成されており、そこにシャワーヘッド１６に接続された可撓性のシャワーホース３７が収納されるようになっている。
【００４５】
この第１のホース収納部３８には上向きに山形状をなす収納ガイド７０が設けられており、第１のホース収納部３８においてシャワーホース３７がその収納ガイド７０回りに巻回状態に収納されるようになっている。
【００４６】
上記仕切壁６７の後側には第３のホース収納部６８が形成されており、そこに連絡管６６が収納されている。
尚この連絡管６６は可撓性のホースにて構成することができる。但し硬質の管にて構成することもできる。
【００４７】
尚シャワーホース３７の一端側は切替ユニット６４に接続されている。この切替ユニット６４にはまた可撓性のホースから成る給水管７２が接続されている。給水管７２の他端側は吐水管６０に接続されている。
【００４８】
この給水管７２もまたカバー５６内部に収納されるようになっている。
ここで給水管７２は第１のホース収納部３８内に収納しておくこともできるし、或いはまた別途の箇所に収納しておくこともできる。
尚、シャワーヘッド１６はシャワー吐水及び整流吐水切替式のものとなしておくことができ、この場合吐水管６０を省略することも可能である。
【００４９】
本例によれば、長いシャワーホース３７を収まり良く第１のホース収納部３８に収納しておくことができ、また取り出す際にも円滑にシャワーホース３７をカバー５６内から取り出すことができる。
【００５０】
また本例では、カバー５６にテーブル部５８を一体的に形成して洗面器置台２０をテーブル部５８に対して低い位置に段差状に形成していることから、テーブル部５８の上に各種物品を載せておくことができるとともに、洗面器置台２０とテーブル部５８とをそれぞれに求められる適正な高さ位置に形成することができ、それぞれの使い勝手が良好である利点が得られる。
【００５１】
図６は本発明の更に他の実施例を示したもので、この例の浴室用カバー付水栓７４は、図４及び図５に示す実施例とは逆の位置に吐水管６０及びシャワーヘッド１６，その保持部３４を設けている。
また温調ハンドル３０と切替ハンドル３２とを、テーブル部５８の左右方向のほぼ中央位置に配置してある。
他の点については基本的に図４及び図５の実施例と同様である。
【００５２】
但し温調ハンドル３０及び切替ハンドル３２を略中央に配置した関係上、温調ユニット６２，切替ユニット６４もまたほぼ左右の中央に配置してある。
場合によってそれら温調ユニット６２及び切替ユニット６４を一体の水栓本体として構成しておくこともできる。
【００５３】
図７は参考例を示している。
この例の浴室用カバー付水栓７６は、基本的に図６に示す実施例と同様であるが吐水管６０が省略されており、シャワーヘッド１６がシャワー吐水及び整流吐水切替式のものとされている。
この例において特徴的なのは、カバー５６に棒状の手摺り７７が一体的に備えられており、その手摺り７７の上端部が壁Ｗに固定されて手摺りとして使用可能なものとされている。
【００５４】
このようにすれば、水栓７６とは別途に手摺りを用意してこれを壁Ｗに取り付けたりする必要がなくなり、部品コスト，取付けの手間を節減することができる。
尚、本例においても洗面器置台２０の内部にシャワーホース３７を収納する第１のホース収納部３８が形成されている。
【００５５】
尚手摺り７７は、図４及び図５に示す実施例のものに付加する形で或いは吐水管６０を省略した上でカバー５６に備えておくこともできるし、或いはまた図１及び図２に示す第１の実施例において、更には図３に示す別の実施例においてこのような手摺り７７を設けることもできる。
【００５６】
尚図７に示しているように、この手摺り７７に代えて或いは手摺り７７と併せてスライドバー７８をカバー５６に一体的に備え付け、そのスライドバー７８にシャワーフック８０をスライド可能に取り付けて、そのシャワーフック８０によりシャワーヘッド１６を保持するようになすこともできる。
この場合においてもスライドバー７８を別途に用意して壁Ｗに取り付けたりしなくても良く、部材コスト及び取付けの手間を節減することができる。
【００５７】
図８は本発明の更に他の実施例を示したもので、この例の浴室用カバー付水栓８１は、カバー８２にミラー８４を一体的に備え付けたものである。
この場合においても別体のミラーを用意して壁Ｗに取り付けたりしなくても良く、部材コスト及び取付けの手間を節減することができる。
このミラー８４もまた、前記各実施例のカバー付水栓１０，５４，７４，７６に備え付けるようになすこともできる。
【００５８】
以上本発明の実施例を詳述したがこれはあくまで一例示である。
例えば本発明においては、カバーに棚その他のものを一体的に備え付けておくこともできるし、或いはまた上記各実施例では何れもカバーにシャワーヘッドの保持部を設けているが、場合によってこれらを省略した形で浴室用カバー付水栓を構成することも可能であるなど、本発明はその主旨を逸脱しない範囲において種々変更を加えた形態で構成可能である。
【図面の簡単な説明】
【図１】  本発明の一実施例である浴室用カバー付水栓を示す図である。
【図２】  同じ実施例の浴室用カバー付水栓の正面図及び側面断面図である。
【図３】  本発明の他の実施例の浴室用カバー付水栓を示す図である。
【図４】  本発明の更に他の実施例の浴室用カバー付水栓を示す図である。
【図５】  図４の浴室用カバー付水栓を上カバーと下カバーとを分離した状態で示す図である。
【図６】  本発明の更に他の実施例の浴室用カバー付水栓を示す図である。
【図７】  参考例の浴室用カバー付水栓を示す図である。
【図８】  本発明の更に他の実施例の浴室用カバー付水栓を示す図である。
【図９】  従来の浴室用水栓を取付状態で浴室内部とともに示す図である。
【図１０】  図９の浴室用水栓とその周辺部を拡大して示す図である。
【図１１】  従来の浴室用水栓の他の例を示す図である。
【符号の説明】
１０，５４，７４，７６，８１  水栓（浴室用カバー付水栓）
１２  水栓本体
１４，５６，８２  カバー
２０  洗面器置台
２８  吐水口
３６  仕切壁
３７  シャワーホース
３８  第１のホース収納部
４０  第２のホース収納部
４２  接続ホース
４６  端部接続口
７７  手摺り
７８  スライドバー
８０  シャワーフック
８４  ミラー
Ｗ   壁
【図１】
0004327336.tif 000002
【図２】
0004327336.tif 000003
【図３】
0004327336.tif 000004
【図４】
0004327336.tif 000005
【図５】
0004327336.tif 000006
【図６】
0004327336.tif 000007
【図７】
0004327336.tif 000008
【図８】
0004327336.tif 000009
【図９】
0004327336.tif 000010
【図１０】
0004327336.tif 000011
【図１１】
0004327336.tif 000012